(57)【要約】【課題】容易に製造でき且つランプの取付作業後の取り忘れを防止することのできるランプ用保護カバーを提供する。【解決手段】ランプ３の発光管部３ａを覆うとともにランプ３の端子部３ｂを外部に臨ませる保護部材１と、保護部材１に取り付けられてランプ３の端子部３ｂを覆う保持部材２とから構成され、保護部材１は、平板状のダンボール紙を二つ折りに折曲して成り、ランプ３を挟み込む方向に所定の力を加えることでランプ３を挟持する閉状態と、力を加えないことでランプ３から離れる開状態との間で開閉自在であって、保持部材２は、シート状の粘着紙の両側縁をそれぞれ保護部材１における折曲部位と反対側の両端縁に貼着して成り、加える力に依らず保護部材１を閉状態で保持する。【選択図】図１
2008290747.tif 000002
【特許請求の範囲】
【請求項１】
少なくともランプの発光管部を覆うとともにランプの端子部を外部に臨ませる保護部材を備えたランプ用保護カバーであって、保護部材は、ランプを挟み込む方向に所定の力を加えることでランプを挟持する閉状態と、力を加えないことでランプから離れる開状態との間で開閉自在であって、ランプの端子部を覆うとともに加える力に依らず保護部材を閉状態で保持する保持部材が設けられたことを特徴とするランプ用保護カバー。
【請求項２】
前記保護部材は、断熱構造を有することを特徴とする請求項１記載のランプ用保護カバー。
【請求項３】
前記保護部材は、熱伝導性が低い材料から成ることを特徴とする請求項１記載のランプ用保護カバー。
【請求項４】
前記保護部材は、平板状のダンボール紙を二つ折りに折曲して成り、前記保持部材は、シート状の粘着紙の両側縁をそれぞれ保護部材における折曲部位と反対側の両端縁に貼着して成り、保護部材は、ランプの端子部の少なくとも一部を覆うとともに直立状態と外側に倒れた状態との間で移動自在な補助部材を備えたことを特徴とする請求項１記載のランプ用保護カバー。
【請求項５】
前記保持部材は、保護部材に貼着している部位と貼着していない部位とで分離可能とした分離部を備え、分離部はミシン目から成ることを特徴とする請求項４記載のランプ用保護カバー。
【請求項６】
前記保持部材には、少なくともランプの端子部を視認可能とする通孔が設けられたことを特徴とする請求項１乃至５の何れか１項に記載のランプ用保護カバー。
【発明の詳細な説明】
【技術分野】
【０００１】
本発明は、ランプを保護するランプ用保護カバーに関する。
【背景技術】
【０００２】
従来から、ランプが梱包から取り出されて照明器具に取り付けられるまでの間、ランプを覆うことで落下による衝撃等からランプを保護するランプ用保護カバーが知られており、例えば特許文献１に開示されているようなものがある。このランプ用保護カバーは、放電ランプを覆うランプ用保護カバーであって、放電ランプの発光管部を覆う保護カバー本体上に、放電ランプの両端子間又は両口金間に接続される抵抗回路を設けたもので、放電ランプにランプ用保護カバーを取り付けた状態で放電ランプを点灯しようとすると、点灯装置から供給される直流電圧が抵抗回路を介してバイパスされるために放電ランプが点灯せず、したがってランプ用保護カバーを取り忘れていることを確認することができる。
【特許文献１】特開２００３−２７２５５８号公報
【発明の開示】
【発明が解決しようとする課題】
【０００３】
しかしながら、上記従来例では、仮にランプ用保護カバーを取り忘れたまま放置した場合には、取り忘れに気づいてランプ用保護カバーを取り外すまでは電源を供給してもランプが点灯しないために、例えば非常灯等のランプの本来の役割を果たすことができないという問題があった。また、ランプ用保護カバーの抵抗回路を予めランプの端子間にリード線を用いて接続しなければならず、製造工程が煩雑になるという問題があった。
【０００４】
本発明は、上記の点に鑑みて為されたもので、容易に製造でき且つランプの取付作業後の取り忘れを防止することのできるランプ用保護カバーを提供することを目的とする。
【課題を解決するための手段】
【０００５】
請求項１の発明は、上記目的を達成するために、少なくともランプの発光管部を覆うとともにランプの端子部を外部に臨ませる保護部材を備えたランプ用保護カバーであって、保護部材は、ランプを挟み込む方向に所定の力を加えることでランプを挟持する閉状態と、力を加えないことでランプから離れる開状態との間で開閉自在であって、ランプの端子部を覆うとともに加える力に依らず保護部材を閉状態で保持する保持部材が設けられたことを特徴とする。
【０００６】
請求項２の発明は、請求項１の発明において、保護部材は、断熱構造を有することを特徴とする。
【０００７】
請求項３の発明は、請求項１の発明において、保護部材は、熱伝導性が低い材料から成ることを特徴とする。
【０００８】
請求項４の発明は、請求項１の発明において、保護部材は、平板状のダンボール紙を二つ折りに折曲して成り、保持部材は、シート状の粘着紙の両側縁をそれぞれ保護部材における折曲部位と反対側の両端縁に貼着して成り、保護部材は、ランプの端子部の少なくとも一部を覆うとともに直立状態と外側に倒れた状態との間で移動自在な補助部材を備えたことを特徴とする。
【０００９】
請求項５の発明は、請求項４の発明において、保持部材は、保護部材に貼着している部位と貼着していない部位とで分離可能とした分離部を備え、分離部はミシン目から成ることを特徴とする。
【００１０】
請求項６の発明は、請求項１乃至５の何れか１項の発明において、保持部材には、少なくともランプの端子部を視認可能とする通孔が設けられたことを特徴とする。
【発明の効果】
【００１１】
請求項１の発明によれば、保護部材及び保持部材でランプを覆うだけの構成であるので、容易に製造することができる。また、ランプの取付作業前には、保護部材及び保持部材によってランプが保護され、ランプの取付作業時には、ランプを挟み込むようにして保護部材を手に持ち、保持部材を取り外してランプを照明器具のソケットに取り付けた後に手を離すことで、保護部材が開状態となって自由落下するので、ランプの取付作業後にランプ用保護カバーを取り忘れるのを確実に防ぐことができる。
【００１２】
請求項２，３の発明によれば、ランプを照明器具に取り付けた際にランプが発する熱が保護部材を持つ手に伝わりにくくなるので、ランプの取付作業を安全に行うことができる。
【００１３】
請求項４の発明によれば、保護部材及び保持部材をダンボール紙及び粘着紙で構成したので、安価に製造することができる。また、ランプの端子部の少なくとも一部を覆うとともに直立状態と外側に倒れた状態との間で移動自在な補助部材を設けたので、ランプの取付作業前には、補助部材によってランプの端子部を保護することができ、ランプの取付作業時には、補助部材を外側に倒すことでランプの取付作業を阻害するのを回避することができる。
【００１４】
請求項５の発明によれば、保持部材をミシン目で切断するだけで保持部材による保護部材の閉状態の維持を解除することができるので、ランプの取付作業を容易に行うことができる。
【００１５】
請求項６の発明によれば、少なくともランプの端子部が視認可能となるので、端子部の位置を正確に把握することができ、したがってランプの取付作業時に誤って端子部に触れて端子部を傷つけてしまうのを防止することができる。
【発明を実施するための最良の形態】
【００１６】
以下、本発明に係るランプ用保護カバーの実施形態について図面を用いて説明する。本実施形態は、図１（ａ）に示すように、ランプ３の発光管部３ａを覆うとともにランプ３の端子部３ｂを外部に臨ませる保護部材１と、保護部材１に取り付けられてランプ３の端子部３ｂを覆う保持部材２とから成る。尚、本実施形態は、使用前において例えばポリエチレンから成る梱包用の袋（図示せず）に梱包されている。
【００１７】
ランプ３は、ハロゲンランプであって、電源が供給されることで発光する発光管部３ａと、後述する器具本体Ａのソケット（図示せず）に挿抜自在な一対のピンから成る端子部３ｂとから構成される。尚、ランプ３はハロゲンランプに限定される必要は無く、他の種類のランプを用いても構わない。また、端子部が口金から成るランプにも適用することができる。
【００１８】
保護部材１は、図２に示すように、平板状のダンボール紙から成り、その長手方向における略中央を通る線に沿って二つ折りに折曲することで、断面略Ｕ字状に構成される。保護部材１の互いに対向する２面の間には、図１（ａ）に示すように、ランプ３が端子部３ｂを図１（ａ）における上方に向ける形で配設される。また、保護部材１は、ランプ３を挟み込む方向に所定の力を加えることでランプ３を挟持する閉状態と、力を加えないことでランプ３から離れる開状態との間で開閉自在となっている。尚、保護部材１における折曲部位と反対側の両端のうち一方の端部は、他方の端部よりも突出するように形成されており、該突出部位がランプ３の端子部３ｂの一側面を覆って保護する補助部材４となっている。補助部材４の図１（ａ）における下端部には切り込み４ａが設けられており、該切り込み４ａに沿って補助部材４を折曲することで補助部材４を外側に倒すことができるようになっており、このため、補助部材４は直立状態と外側に倒れた状態との間で移動自在となっている。
【００１９】
保護部材１の互いに対向する２面には、図２に示すように、それぞれ略Ｉ字状の切り込みを入れることで凹所１ａが形成されており、該凹所１ａにランプ３の発光管部３ａが嵌合することで、ランプ３が保護部材１の幅方向に移動して抜け落ちるのを防ぐようになっている。尚、保護部材１を構成するダンボール紙には、厚み寸法５ｍｍのＡフルート、若しくは厚み寸法３ｍｍのＢフルートを用いるのが望ましい。
【００２０】
保持部材２は、シート状の粘着紙の両側縁をそれぞれ保護部材１における折曲部位と反対側の両端縁に貼着して成る。ここで、保持部材２は、閉状態の保護部材１に貼着されることで、保護部材１を閉状態に保持するようになっている。尚、保護部材１への貼着方法は、粘着紙の保護部材１に貼着する部位の表面材を剥離して粘着剤が塗布された面を露出させ、当該面を保護部材１に貼り付けることで行われる。
【００２１】
保持部材２において保護部材１に貼着されている部位と貼着されていない部位との境目には、ミシン目から成る分離部２ａが設けられている。而して、保持部材２を分離部２ａで切断することで、保護部材１に貼着されている部位と貼着されていない部位とが分離し、保護部材１の閉状態の維持が解除されるようになっている。また、保持部材２における上記境目の近傍には、略半円形状の通孔２ｂが貫設されている。通孔２ｂは、ランプ３の端子部３ｂを視認可能とする位置に貫設され、ランプ３の端子部３ｂの位置を正確に把握することができる。而して、ランプ３の取付作業時に、誤って端子部３ｂを把持して無理な力が加わることで端子部３ｂを折ってしまうのを防止することができる。尚、保持部材２の保護部材１に貼着されている部位には、利用者に使用上の注意を促すためのラベル５が設けられている。
【００２２】
以下、本実施形態を用いて照明器具にランプ３を取り付ける方法について図面を用いて説明する。尚、ここでは天井埋込型の非常灯用照明器具の器具本体Ａへのランプ３の取り付けの一例を示す。先ず、本実施形態を梱包用の袋から取り出し、図３（ａ）に示すように、ランプ３を挟み込むようにして保護部材１を把持し、保持部材２を分離部２ａで切断することでランプ３の端子部３ｂを外部に臨ませる。この時、切り込み４ａに沿って補助部材４を折曲して外側に倒しておくことで、ランプ３を器具本体Ａに取り付ける際に、補助部材４がランプ３の取付作業の邪魔になるのを回避することができる。次に、保護部材１を把持したままランプ３の端子部３ｂを器具本体Ａに設けられたソケットに挿入することでランプ３を取り付け、ランプ３を器具本体Ａに取り付けた後に保護部材１から手を離すことで保護部材１は開状態となり、保護部材１は自由落下する（図３（ｂ）参照）。
【００２３】
上述のように、ランプ３の取付作業前には、保護部材１及び保持部材２によってランプ３が保護され、ランプ３の取付作業時には、ランプ３を器具本体Ａに取り付けた後に手を離すことで、保護部材１が開状態となって自由落下するので、従来例のようにランプ３の取付作業後にランプ用保護カバーを取り忘れるのを確実に防ぐことができる。また、ダンボール紙から成る保護部材１と、粘着紙から成る保持部材２とでランプ３を覆うという安価な材料による単純な構成としたので、安価で且つ容易に製造することができる。
【００２４】
また、保護部材１は、断熱構造を有するダンボール紙から成るので、ランプ３を器具本体Ａに取り付けた際に、仮にランプ３に電源が供給されてランプ３が取付直後に点灯したとしても、ランプ３が発する熱が保護部材１を持つ手に伝わりにくくなるので、ランプ３の取付作業を安全に行うことができる。
【００２５】
尚、本実施形態の保護部材１の材料はダンボール紙に限定される必要は無く、例えばエチレンプロピレンゴム（ＥＰＴ）等の熱伝導性の低い材料から形成されても構わない。この場合にも、上記と同様の効果を奏することができる。
【図面の簡単な説明】
【００２６】
【図１】本発明のランプ用保護カバーの実施形態を示す図で、（ａ）は保持部材を取り外す前の状態の全体斜視図で、（ｂ）は保持部材を取り外した後の状態の全体斜視図である。
【図２】同上の保護部材を示す斜視図である。
【図３】同上の使用方法を示す説明図で、（ａ）はランプ取付前の状態を示す図で、（ｂ）はランプ取付後の状態を示す図である。
【符号の説明】
【００２７】
１  保護部材
２  保持部材
３  ランプ
３ａ  発光管部
３ｂ  端子部
【図１】
2008290747.tif 000003
【図２】
2008290747.tif 000004
【図３】
2008290747.tif 000005